(57)【要約】      （修正有）【課題】クレーンの油圧用回転分配器へのアクセス性を容易にする。【解決手段】管状のマスト下部及びメインフレームを有するクレーンマストを有してなるクレーンである。クレーンマストのマスト下部の下側マウント位置及び上側マウント位置は上下に配置されており、マスト下部は回転デバイスによってメインフレームに対し回転可能であり、少なくとも一本のライン（配管又は配線）７が下側マウント位置の下方から上側マウント位置に向けて延びている。前記少なくとも一本のライン7は、上側マウント位置の上方で、回転分配器の取り込み位置に接続され、少なくとも一本のライン7と回転分配器との接続を解除するための解除デバイス10が取り込み位置の領域に設けられている。当該クレーンマストは、解除デバイス10の高さにおいてクレーンマストの外側から解除デバイス10への接近を許容する開口9を有している。【選択図】図２
2015224139.tif 000002
【特許請求の範囲】
【請求項１】
管状のマスト下部（３）及びメインフレーム（４）を有するクレーンマスト（１）を有してなるクレーンであって、
前記クレーンマスト（１）のマスト下部（３）の下側マウント位置（５）及び上側マウント位置（６）は上下に配置されており、前記マスト下部（３）は回転デバイスによって前記メインフレーム（４）に対し回転可能であり、少なくとも一本のライン（７）が前記下側マウント位置（５）の下方から前記上側マウント位置（６）に向けて延びている、クレーンにおいて、
前記少なくとも一本のライン（７）は、前記上側マウント位置（６）の上方で、回転分配器（８）の取り込み位置（１５）に接続されており、
前記少なくとも一本のライン（７）と前記回転分配器（８）との接続を解除するための解除デバイス（１０）が、前記取り込み位置（１５）の領域に設けられており、
前記クレーンマスト（１）は、前記解除デバイス（１０）の高さにおいて、該クレーンマスト（１）の外側から該解除デバイス（１０）への接近を許容する開口（９）を有する、ことを特徴とするクレーン。
【請求項２】
前記クレーンマスト（１）における開口（９）は、前記回転分配器（８）がそこを通過できるような大きさである、ことを特徴とする請求項１に記載のクレーン。
【請求項３】
前記開口（９）は、マスト上部（２）に設けられている、ことを特徴とする請求項１又は２に記載のクレーン。
【請求項４】
前記開口（９）は、取り除くことが可能なカバーによって閉じられる、ことを特徴とする請求項１〜３のいずれか一項に記載のクレーン。
【請求項５】
前記回転分配器（８）は、前記少なくとも一本のライン（７）が前記管状のマスト下部（３）内で延びているところの管（１２）に接続されている、ことを特徴とする請求項１〜４のいずれか一項に記載のクレーン。
【請求項６】
前記管（１２）は、その下端部において前記メインフレーム（１４）に接続されている、ことを特徴とする請求項５に記載のクレーン。
【請求項７】
前記回転分配器（８）の固定位置（１３）は、前記管（１２）において前記開口（９）を介して接近可能である、ことを特徴とする請求項５又は６に記載のクレーン。
【請求項８】
前記解除デバイス（１０）の領域において、前記管（１２）が開口部（１４）又は切り欠き部を有している、ことを特徴とする請求項５〜７のいずれか一項に記載のクレーン。
【請求項９】
前記クレーンが、車両クレーン、好ましくは積み下ろし用クレーンの形態をなす、ことを特徴とする請求項１〜８のいずれか一項に記載のクレーン。
【発明の詳細な説明】
【技術分野】
【０００１】
本発明は、請求項１のような特徴を有するクレーンに関するものである。
【背景技術】
【０００２】
前述の一般的な種類のクレーンは、車両上、又は、固定（静止）した支持面上にメインフレームを具備して構成され得る。１本又はそれ以上のクレーンアーム（クレーン腕）がクレーンのマスト（支柱）に対して旋回可能に取り付けられる。
【０００３】
前述の一般的な種類のクレーン（例えば、ＡＴ３７１７８８Ｂ１公報参照）には、各種のライン（例えば電気配線や油圧配管）がクレーンマストの内部において、そこに設けられた回転分配器に保護された状態で延びている、という利点がある。
【０００４】
ＡＴ３７１７８８Ｂ１公報に示された回転分配器（参照番号１７）は、管状（チューブ状）のマスト下部（参照番号５）内に配置され、２パート構造をしている。各種ラインの取り込み位置がどこに設けられているかをＡＴ３７１７８８Ｂ１公報に見つけることはできない。ＡＴ３７１７８８Ｂ１公報に対応する解決策はまた、市場において入手可能である。各種ラインの取り込み位置は、ＡＴ３７１７８８Ｂ１公報において参照番号５で表示された管（チューブ）の下側開口において全体的に下方に、つまり、下側マウント位置の領域に配置されている。そこではそれらは、大変な困難さを伴ってのみアクセス（接近）されることができる。
【０００５】
従って、不利な点は、回転分配器それ自体が、（例えば修理のために）多大な複雑さを伴ってのみ分解され再構成され得ることである。分解および組立ては、クレーンマストの管状のマスト下部から外へ又はその中に、上方又は下方になされなければならない。
【０００６】
前述の一般的な種類のクレーンではないクレーンも存在し、そのようなクレーンでは、クレーンマストは、回転デバイスを介してメインフレーム上に着座し、つまりメインフレームの中に向けて突出していない。回転分配器は、メインフレームの主要部に対して設けられ、クレーンマストの中にほんの僅かだけ突出している。そのようなクレーンにおいてはまた、回転分配器は、解除デバイスの領域で多大な困難さを伴ってのみアクセス（接近）可能であり、修理目的で下から分解されなければならない。
【先行技術文献】
【特許文献】
【０００７】
【特許文献１】オーストリア公報：ＡＴ  ３７１  ７８８  Ｂ１
【発明の概要】
【発明が解決しようとする課題】
【０００８】
本発明の目的は、前述の一般的な種類のクレーンにおいて回転分配器へのアクセス性（接近可能性、近づきやすさ）を容易にすることにある。
【課題を解決するための手段】
【０００９】
本発明の目的は、請求項１のような特徴を有するクレーンによって達成される。
【００１０】
従って本発明は、上側マウント位置の上方に配置される回転分配器の使用を含むものであり、少なくとも一本のラインのための取り込み位置(intake location)もまた、上側マウント位置の上方に配置される。前記少なくとも一本のラインと回転分配器との間の接続を解除するための解除デバイスは、前記取り込み位置の領域に配置されている。解除デバイスへのアクセス（接近）は、クレーンマストにおける解除デバイスの高さ（高さ位置）に設けられた開口を介して、クレーンマストの外側から実行され得る。こうして回転分配器の分割及び固定はシンプルに（シンプルな手法で）行われることができる。作動時、ラインは、それにもかかわらず、クレーンマスト内にあるおかげで保護される。
【００１１】
本発明の有利な構成は、添付の「特許請求の範囲」で保護される。
【００１２】
実際には、複数のライン（注：「ライン」とは、配管又は配線の意味）が設けられ、これらのラインは、例えば油圧配管（油圧ライン）や電気配線（電線）である。
【００１３】
特に好ましくは、クレーンマストの開口(opening)は、分解又は組立て目的のために、回転分配器が当該開口を通過できるような大きさとなっている。
【００１４】
解除デバイスの位置に応じて、前記開口が、管状のマスト下部に、又はマスト上部に配置されることができる。
【００１５】
クレーンマストに設けられた前記開口は、回転分配器へのアクセス（接近）が要請されないならば、取り除くことが可能なカバー（覆い）で閉じられてもよい。
【図面の簡単な説明】
【００１６】
【図１】クレーンマストのマスト下部の近傍を示す図。
【図２】図１に示したマスト下部付近の裏側の一部を示す斜視図。
【発明を実施するための形態】
【００１７】
本発明の一実施形態について図１及び図２を参照しつつ詳細に説明する。
【００１８】
図１は、クレーンの発明（更には示さず）に従うクレーンマスト（クレーン支柱）１を示し、クレーンマスト１は、管状のマスト下部（マスト低部）３と、その上に設けられたマスト上部２とを有する。クレーンアーム（クレーン腕）（図示略）は、マスト上部２上に旋回可能に設けられている。
【００１９】
クレーンマスト１は、その管状のマスト下部３によって、下側マウント位置５及び上側マウント位置６を介してメインフレーム４に取り付けられている。下側マウント位置５の領域では、（クレーンマスト１を）メインフレーム４に対して無制限に回転させるべく、回転デバイス（従来技術に相当するので詳細には図示せず）がクレーンマスト１に係合している。管状のマスト下部３の上には、クレーンアームが取り付けられるところのマスト上部２が設けられている。
【００２０】
例示の実施形態においては、下側マウント位置５の下から管状のマスト下部３の中に入り込む４本のライン７を見ることができ、そして、これらのライン７は、解除デバイス１０を介して上側マウント位置６の上方の、回転分配器８の取り込み位置１５に接続されている。例で示された複数のライン７のうち、相対的に細く示された１本のライン７および相対的に太く示された（複数の）ライン７は、油圧流体を輸送する働きをする。
【００２１】
図では、３つの出口１１を見て取ることが可能であり、それらの出口１１は、メインフレーム４に対するクレーンマスト１の無制限な回転動作が生じた場合でもライン７内の媒体の移送が支障なく行われるようなやり方で、二部分からなる回転分配器８を介して取り込み位置１５に接続されている。回転分配器８の構造は従来技術に相当するものであり、それ故あまり詳細に説明する必要が無い。
【００２２】
解除デバイス１０へのアクセス（接近）は、マスト上部２に設けられている開口９を介してクレーンマスト１の外側から可能となっており、このことは、従来の技術と比較して、回転分配器８の分解及び固定を実質的に容易にする。開口９は、回転分配器８がそこを通り抜けられるようなサイズをしている。
【００２３】
図１に示すように、回転分配器８が（例えばその下部に）接続されたクレーンマスト１の内部で（複数の）ライン７を保護するための管（チューブ状部材）１２が設けられる場合、回転分配器８の管１２への固定位置１３が、それらが開口９を介してアクセス可能であるように提供されることが望ましい。
【００２４】
代替的に又は追加的に、解除デバイス１０の領域において、管１２が開口部１４（あるいは、図示するものではないが、管の端に延びる切り欠き部）を有していてもよい。その場合には、解除デバイス１０へ直接的にアクセスすることが可能になる。
【００２５】
前記管（チューブ状部材）１２は、その下部端においてメインフレーム４に接続されることも可能であり、例えば溶接されることも可能である。
【００２６】
図２は、解除デバイス１０へのアクセスの容易性を示すところの、図１の斜視図を示すものである。
【符号の説明】
【００２７】
１  クレーンマスト（クレーン支柱）
２  マスト上部
３  管状のマスト下部
４  メインフレーム
７  ライン（配管又は配線）
８  回転分配器
９  開口
１０  解除デバイス
１２  管（チューブ状部材）
１４  管の開口部
【図１】
2015224139.tif 000003
【図２】
2015224139.tif 000004
【外国語明細書】
2015224139000001.pdf